(57)【要約】      （修正有）【課題】コネクタのロック構造に関し、高密度実装に適したもので、部品点数も削減したコネクタのロック構造を提供する。【解決手段】プラグコネクタ１と、金属製シェル５で形成されてなるレセプタクルコネクタ６とで構成されるコネクタであって、前記シェル５の上面において後部から前部に向けて平板状の弾性腕７がシェル５の前記上面に沿って設けられ、当該弾性腕７の前部が上方向に持ち上がるようにされており、前記弾性腕の前部に前記シェルの上面から嵌合部内の空間に貫通して突出するとともに前記プラグコネクタの前部から後部への挿入・装着を許容しその逆操作の脱着を阻止する突起が設けられ、前記弾性腕７の前端部から上部へと延伸して起立し後方へのロック解除用押圧を受ける平板状のロック解除部７ｃが設けられているコネクタのロック構造とするものである。【選択図】図１
2007257921.tif 000002
【特許請求の範囲】
【請求項１】
プラグコネクタと、該プラグコネクタの接続部が嵌合される略断面矩形状の嵌合部を有し、該嵌合部には接続ガイド用の絶縁ハウジングと該絶縁ハウジングに取り付けられたコンタクトとがあり、前記嵌合部が屈曲された金属製シェルで形成されてなるレセプタクルコネクタとで構成されるコネクタであって、
前記レセプタクルコネクタにおける嵌合部の開口部を前後方向における前部として前記絶縁ハウジングの後端部を後部として、前記シェルの上面において後部から前部に向けて平板状の弾性腕がシェルの前記上面に沿って設けられ、
前記弾性腕の基部が前記レセプタクルコネクタの後部において固定されて支持され、当該弾性腕の前部が上方向に持ち上がるようにされており、
前記弾性腕の前部に前記シェルの上面から嵌合部内の空間に貫通して突出するとともに
前記プラグコネクタの前部から後部への挿入・装着を許容しその逆操作の脱着を阻止する突起が設けられ、
前記弾性腕の前端部から上部へと延伸して起立し後方へのロック解除用押圧を受ける平板状のロック解除部が設けられていること、
を特徴とするコネクタのロック構造。
【請求項２】
ロック解除部は、弾性腕の前端部から斜め前方に向けて傾斜されていること、
を特徴とする請求項１に記載のコネクタのロック構造。
【請求項３】
ロック解除部の前下部には、シェルの上面との間にマイナス型工具を差し込んで弾性腕の前部を上に持ち上げる切欠き部が設けられていること、
を特徴とする請求項１または２に記載のコネクタのロック構造
【請求項４】
シェルの前部から上部に延伸されて、弾性腕のロック解除部の一部に係合し、当該弾性腕が基部を支点にして上部に持ち上がるのを一定の高さで止める規制係止片が設けられていること、
を特徴とする請求項１乃至３のいずれかに記載のコネクタのロック構造。
【請求項５】
弾性腕の側部には、上部へ略垂直に起立されるとともにその側端面がロック解除部の背面に当接する補強板が設けられていること、
を特徴とする請求項１乃至４のいずれかに記載のコネクタのロック構造。
【発明の詳細な説明】
【技術分野】
【０００１】
本発明は、プラグコネクタとレセプタクルコネクタとのコネクタにおける、接続と接続解除用のロック装置であって、高密度実装において隣接する電子部品のロック解錠用のスペースが限られる場合において、レセプタクル側に設けられるコネクタのロック構造に関するものである。
【背景技術】
【０００２】
従来、プラグコネクタとレセプタクルコネクタとの接続嵌合においては、不測の事態において、容易に接続が解除されないように、例えば、図１０に示すように、レセプタクルコネクタ２０の側面において、係止用の孔等（図示せず）がモールド躯体若しくはシェルに設けられ、プラグコネクタ２１においては、嵌合部の側壁に係止用で側端面から出没自在な係止突起２２が設けられている。この係止突起２２は、プラグコネクタ２１の本体側の側壁に設けられている解除釦２３と一体にされ若しくは連結されており、この解除釦２３を図中の矢印方向に押し込むことで、前記係止突起２２が嵌合部の側壁から内部に没入する。それにより、前記レセプタクルコネクタ２０側の孔と前記係止突起２２との係合が解除されて、レセプタクルコネクタ２０からプラグコネクタ２１を脱着させることができる。このような形式のコネクタが知られている（特許文献１参照）。
【特許文献１】特開２００４−３４２５５９号公報
【発明の開示】
【発明が解決しようとする課題】
【０００３】
しかし、従来のコネクタのロック構造では、前記解除釦２３の両方を指で摘んで押す必要があるので、プラグコネクタ２１の周囲には、前記指を差し込むことができるようなスペースが必要となる。前記レセプタクルコネクタ２０の周囲に他の電子部品が高密度に配設されていると、それらに他の接続ケーブル等が接続されていて、指を差し込むことができずに、前記プラグコネクタ２１を取り外すことが困難となる場合がある。その場合には、近接の他のケーブル等を外してからでないと、前記プラグコネクタ２１を脱着させることができないので、手間が掛かり不便である。また、前記係止突起２２と解除ボタン２３とからなるロック装置を構成する部品点数が多くなると言う課題がある。
本発明に係るコネクタのロック構造は、このような課題を解決するために提案されたものである。
【課題を解決するための手段】
【０００４】
本発明に係るコネクタのロック構造の上記課題を解決して目的を達成するための要旨は、プラグコネクタと、該プラグコネクタの接続部が嵌合される略断面矩形状の嵌合部を有し、該嵌合部には接続ガイド用の絶縁ハウジングと該絶縁ハウジングに取り付けられたコンタクトとがあり、前記嵌合部が屈曲された金属製シェルで形成されてなるレセプタクルコネクタとで構成されるコネクタであって、前記レセプタクルコネクタにおける嵌合部の開口部を前後方向における前部として前記絶縁ハウジングの後端部を後部として、前記シェルの上面において後部から前部に向けて平板状の弾性腕がシェルの前記上面に沿って設けられ、前記弾性腕の基部が前記レセプタクルコネクタの後部において固定されて支持され、当該弾性腕の前部が上方向に持ち上がるようにされており、前記弾性腕の前部に前記シェルの上面から嵌合部内の空間に貫通して突出するとともに前記プラグコネクタの前部から後部への挿入・装着を許容しその逆操作の脱着を阻止する突起が設けられ、前記弾性腕の前端部から上部へと延伸して起立し後方へのロック解除用押圧を受ける平板状のロック解除部が設けられていることである。
【０００５】
前記ロック解除部は、弾性腕の前端部から斜め前方に向けて傾斜されていること、；
前記ロック解除部の前下部には、シェルの上面との間にマイナス型工具を差し込んで弾性腕の前部を上に持ち上げる切欠き部が設けられていること、；
前記シェルの前部から上部に延伸されて、弾性腕のロック解除部の一部に係合し、当該弾性腕が基部を支点にして上部に持ち上がるのを一定の高さで止める規制係止片が設けられていること、；
前記弾性腕の側部には、上部へ略垂直に起立されるとともにその側端面がロック解除部の背面に当接する補強板が設けられていること、；
を含むものである。
【発明の効果】
【０００６】
本発明のコネクタのロック構造によれば、レセプタクルコネクタのシェルの上面に設けられる弾性腕があって、これを上に持ち上げて当該レセプタクルコネクタとプラグコネクタとの嵌合ロック状態を解除することができる。よって、前記レセプタクルコネクタに横並びにして他の接続口等を配設する場合に、前記レセプタクルコネクタに嵌合されるプラグコネクタの周囲に、指でロック解除するためのスペースを確保しておく必要が無くなる。その結果、前記レセプタクルコネクタに対して横並びに高密度に他のコネクタや電子部品の接続口等を実装配備することができる。
【０００７】
また、レセプタクルコネクタ側に一つの弾性腕を設けることで、ロック解除装置が構成されるので、部品点数が一つとなって、部品管理が容易で組立工数も削減される。
前記ロック解除部が、弾性腕の前端部から斜め前方に向けて傾斜されているので、前方から後方に押し組む指により、上方に迫り上がるようにして弾性腕が持ち上がりやすくなる。この平板状のロック解除部が、垂直状態から後方に傾きやすくなるの防止できる。
【０００８】
ロック解除部の前下部には、シェルの上面との間にマイナス型工具を差し込んで弾性腕の前部を上に持ち上げる切欠き部が設けられていることで、コネクタの高さが制限されていて、前記平板状のロック解除部を設けることができない時には、前記切欠き部を利用して弾性腕を上に持ち上げて、プラグコネクタとの嵌合ロックを解除させることができる。
【０００９】
弾性腕のロック解除部の一部に係合し、当該弾性腕が基部を支点にして上部に持ち上がるのを一定の高さで止める規制係止片が設けられることで、嵌合ロックを解除する際の操作範囲が明確になる。
弾性腕の側部に補強板があることで、前記平板状のロック解除部が、指に押されて後方に屈曲してしまうのを防止できる。
【発明を実施するための最良の形態】
【００１０】
本発明に係るコネクタのロック構造は、図１（Ａ）〜（Ｅ）乃至図３に示すように、プラグコネクタ１と、該プラグコネクタ１の接続部１ａが嵌合される略断面矩形状の嵌合部２を有し、該嵌合部２には接続ガイド用で正面視して横に細長い矩形状の絶縁ハウジング３と、該絶縁ハウジング３に一方が取り付けられ他方がプリント基板に接続固定されるコンタクト４とがあり、前記嵌合部２が金属製シェル５を角筒状に屈曲させて形成されてなるレセプタクルコネクタ６とで構成されるコネクタである。
【００１１】
前記レセプタクルコネクタ６における嵌合部２の開口部２ａを、前後方向における前部として、前記絶縁ハウジング３の後端部３ａ（図３参照）を後部として、前記シェル５の上面５ａにおいて、後部から前部に向けて平板状の弾性腕７がシェル５の前記上面５ａに沿って設けられている。
【００１２】
前記弾性腕７の基部７ａが前記レセプタクルコネクタ６の後部において固定されて支持されている。この固定方法は、この実施例では、前記絶縁ハウジング３の後端部３ａに設けられている圧入部に、係止片７ｂを圧入することで固定する。このほかにも、前記後端部３ａに接着剤で固定したり、シェル５に溶接したりして固定することもできる。
【００１３】
前記弾性腕７は、その前部が上方向に持ち上がるようにされており、当該弾性腕７の前端部から上部へと延伸して起立し後方へのロック解除用押圧を受ける平板状のロック解除部７ｃが設けられている。このロック解除部７ｃは、弾性腕７の前端部から斜め前方に向けて傾斜されている。これは、前記基部７ａを支点にして、指による押圧力の分力で斜め上方へ持ち上がりやすくするためである。
【００１４】
前記弾性腕７の前部に、前記シェル５の上面５ａから嵌合部２内の空間に貫通して突出するとともに、前記プラグコネクタ１の前部から後部への挿入を許容しその逆操作の脱着を阻止する突起７ｄが、２カ所に下に押出して設けられている。
【００１５】
更に、前記弾性腕７の側部には、上部へ略垂直に起立されるとともにその側端面がロック解除部７ｃの背面に当接する補強板７ｅが、左右両側に設けられている。これにより、前記平板状のロック解除部７ｃが屈曲して変形しないように補強されるものである。
【００１６】
また、前記ロック解除部７ｃが上方に持ち上がるので、それが上がりすぎないように規制する必要もある。そこで、弾性腕７のロック解除部７ｃの一部に係合孔７ｆを設ける。そして、前記係合孔７ｆに係合するように、前記シェル５の前部から上部に延伸されて屈曲され、当該弾性腕７が基部７ａを支点にして上部に持ち上がるのを一定の高さで止める規制係止片５ｂを設けるものである。これにより、所望の位置で前記ロック解除部７ｃの持ち上がりを停止させることができる。
【００１７】
第２実施例に係るレセプタクルコネクタ６ａとして、図４に示すように、当該レセプタクルコネクタ６ａの取り付け高さが制限を受ける場合に、前記ロック解除部７ｃの高さＨが、前記第１実施例の場合よりも著しく低くなる。そこで、ロック解除部７ｃの前下部に、シェル５の上面５ａとの間に、例えば、マイナス型工具等を差し込んで弾性腕７の前部を上に持ち上げるようにすることのできる、切欠き部７ｇを設けるものである。この切欠き部７ｇにマイナスドライバーを差し込んで、それを回転させることで、シェル上面５ａに対して弾性腕７が上に持ち上がる。前記ロック解除部７ｃが、指で押すには高さが足りない場合に有効となるものである。
【００１８】
更に、図５に示すように、第３実施例に係るレセプタクルコネクタ６ｂであって、シェル５の上面５ａの前部一部を切り起こして一体に形成したロック解除部５ｃと、突起５ｄとを設けた実施例である。また、前記シェル５の上面５ａに前後方向にスリットを設けて前後方向に弾性腕５ｅを形成している。このロック解除部５ｃは、その断面が略矩形状に屈曲されているので、曲力にも強く、補強板等の補強材は必要ない。シェル５に一体にして部品点数を削減するようにした実施例である。
【００１９】
以上のようにして、レセプタクルコネクタ６，６ａ，６ｂが構成され、プラグコネクタ１においては、図１に示すように、先端側の接続部１ａにおいて、嵌合ロック用の凹部１ｂが上面に２カ所設けられている。このようなコネクタのロック構造の使用方法を説明すると、図６に示すように、第１実施例のロック構造において、プラグコネクタ１をレセプタクルコネクタ６の嵌合部２に、接続部１ａを先にして開口部２ａから差し込む。
【００２０】
図７（Ａ）に示すように、レセプタクルコネクタ６のコンタクト４と、プラグコネクタ１のコンタクトとが摺接して接続されると共に、接続部１ａの凹部１ｂに、レセプタクルコネクタ６側の突起７ｄが落とし込まれる。これにより、前記突起７ｄの端面が凹部１ｂの端面に衝突して、プラグコネクタ１の脱着が阻止される。
【００２１】
次に、図７（Ｂ）に示すように、前記ロック構造により脱着が阻止されたプラグコネクタ１を取り出すには、レセプタクルコネクタ６における平板状のロック解除部７ｃを、指先で後方に向けて、図柱の矢印のように押す。すると、弾性腕７がその基部７ａを支点にして上に持ち上げられる。補強板７ｅにより、前記ロック解除部７ｃが繰り返し押されても、屈曲してしまうことがない。
【００２２】
そして、前記ロック解除部７ｃがある程度持ち上がると、シェル５の規制係止片５ｂの端部が、係合孔７ｆの下端面に係合する。ここで、弾性腕７の盛り上がりが停止し、前記突起７ｄは、その下位置がシェル５の上面５ａ当たりに位置して、前記凹部１ｂから抜け出す。これにより、当該突起７ｄと、凹部１ｂとの係合関係が解除される。よって、前記プラグコネクタ１を前方に向けて、レセプタクルコネクタ６から引き抜いて脱着させることができる。
【００２３】
前記第２実施例に係るレセプタクルコネクタ６ａと、プラグコネクタ１とのロック構造も、図８（Ａ），（Ｂ）に示すように、嵌合されて、切欠き部７ｇにマイナスドライバー等を略水平に差し込んで、同図８（Ｃ）に示すように、前記マイナスドライバーを略水平状態から上下方向に回転させると、弾性腕７が基部７ａを支点にして斜め上に持ち上げられて、突起７ｄが凹部１ｂから抜け出し、ロック解除されるものである。
【００２４】
前記第３実施例に係るレセプタクルコネクタ６ｂと、前記プラグコネクタ１とのロック構造は、図９（Ａ）に示すように、互いに嵌合して突起５ｄが凹部１ｂに落ち込んでロックされる。そしてその後に、同図９（Ｂ）に示すように、ロック解除部５ｃを後方に押し込んで、弾性腕５ｅを斜め上に持ち上げることで、突起５ｄによる前記ロック作用が解除され、プラグコネクタ１をレセプタクルコネクタ６ｂから脱着するものである。
【図面の簡単な説明】
【００２５】
【図１】本発明に係るコネクタのロック構造におけるレセプタクルコネクタ６の平面図（Ａ）、背面図（Ｂ）、側面図（Ｃ）、プラグコネクタ１の平面図（Ｄ）、側面図（Ｅ）である。
【図２】同レセプタクルコネクタ６の斜視図（Ａ）、弾性腕７における前部の拡大縦断面図（Ｂ）、側面図（Ｃ）、背面図（Ｄ）である。
【図３】同レセプタクルコネクタ６において、弾性腕７を持ち上げてロック解除した状態の縦断面図（Ａ）と、ロック解除前の縦断面図（Ｂ）とである。
【図４】第２実施例に係るレセプタクルコネクタ６ａの正面図である。
【図５】第３実施例に係るレセプタクルコネクタ６ｂの平面図（Ａ）、背面図（Ｂ）、正面図（Ｃ）、側面図（Ｄ）、Ａ−Ａ線に沿った断面図（Ｅ）である。
【図６】第１実施例に係るレセプタクルコネクタ６とプラグコネクタ１との嵌合の様子を示す縦断面図である。
【図７】本発明に係るロック構造を示す嵌合状態の縦断面図（Ａ）と、ロック解除状態の縦断面図（Ｂ）である。
【図８】第２実施例に係るレセプタクルコネクタ６ａとプラグコネクタ１との嵌合の様子を示す縦断面図（Ａ）、嵌合ロック状態の縦断面図（Ｂ）、ロック解除状態の縦断面図（Ｃ）である。
【図９】第３実施例に係るレセプタクルコネクタ６ｂとプラグコネクタ１との、嵌合状態の縦断面図（Ａ）と、ロック解除状態の縦断面図（Ｂ）とである。
【図１０】従来例に係るレセプタクルコネクタ２０とプラグコネクタ２１との嵌合を説明する平面図（Ａ）と、側面図（Ｂ）とである。
【符号の説明】
【００２６】
１          プラグコネクタ、            １ａ        接続部、
１ｂ        凹部、                      １ｃ        コンタクト、
２          嵌合部、                    ２ａ        開口部、  
３          絶縁ハウジング、            ３ａ        後端部、
４          コンタクト、
５          シェル、                    ５ａ        上面、
５ｂ        規制係止片、                ５ｃ        ロック解除部、  
５ｄ        突起、                      ５ｅ        弾性腕、
６，６ａ，６ｂ          レセプタクルコネクタ、  
７          弾性腕、                    ７ａ          基部、
７ｂ        係止片、                    ７ｃ          ロック解除部、
７ｄ        突起、                      ７ｅ          補強板、
７ｆ        係合孔、                    ７ｇ          切欠き部。
【図１】
2007257921.tif 000003
【図２】
2007257921.tif 000004
【図３】
2007257921.tif 000005
【図４】
2007257921.tif 000006
【図５】
2007257921.tif 000007
【図６】
2007257921.tif 000008
【図７】
2007257921.tif 000009
【図８】
2007257921.tif 000010
【図９】
2007257921.tif 000011
【図１０】
2007257921.tif 000012